(57)【要約】【課題】既設金属屋根を防水改修するのに際して、防水シートの施工が容易であり、また工事期間中の建物の使用中止や降雨時の施工工事の中止の必要性をなくし、また防水シート施工に不備があった場合にも漏水の危険性をなくすることである。【解決手段】既設金属屋根の防水改修構造は、既設金属屋根３の凸部３ｄに取り付けられた固定具６と、固定具６に取り付けられた下地材取付具７と、下地材取付具７上に取り付けられた下地材１１と、下地材１１を下地材取付具７に取り付ける取付手段１２と、下地材１１上に敷設された防水シート１３とを備えており、取付手段１２が既設金属屋根３に接触していない。【選択図】          図８
2006070627.tif 000002
【特許請求の範囲】
【請求項１】
既設金属屋根の防水改修構造であって、
前記既設金属屋根の凸部に取り付けられた固定具と、この固定具に取り付けられた下地材取付具と、この下地材取付具上に取り付けられた下地材と、この下地材を前記下地材取付具に取り付ける取付手段と、前記下地材上に敷設された防水シートとを備えており、前記取付手段が前記既設金属屋根に接触していないことを特徴とする、既設金属屋根の防水改修構造。
【請求項２】
前記固定具が前記既設金属屋根へと溶接によって取り付けられていることを特徴とする、請求項１記載の構造。
【請求項３】
前記取付手段が締結具であることを特徴とする、請求項１または２記載の構造。
【請求項４】
既設金属屋根の防水改修方法であって、
前記既設金属屋根の凸部に固定具を取り付け、この固定具に下地材取付具を取り付け、この下地材取付具上に取付手段によって下地材を取りつけ、この下地材上に防水シートを敷設し、この際前記取付手段が前記既設金属屋根に接触しないようにすることを特徴とする、既設金属屋根の防水改修方法。
【請求項５】
前記固定具を前記既設金属屋根へと溶接によって取り付ることを特徴とする、請求項４記載の方法。
【請求項６】
前記取付手段が締結具であることを特徴とする、請求項４または５記載の方法。
【発明の詳細な説明】
【技術分野】
【０００１】
本発明は、既設金属屋根の防水改修構造および方法に関するものである。
【背景技術】
【０００２】
折板形状の屋根は、図１に示すように、鋼製母屋１の上部に、塗装金属板を折り曲げた凹凸状の屋根材３を、屋根材３と同様の凹凸形状に折り曲げた金属製取り付け金具（タイトフレーム）２を介して取り付けたものである。経年により塗装鋼板３が劣化した場合には改修が必要となる。この際には、屋根材３を張替えたり、屋根形状の凹凸に沿って接着剤を塗布し、ブチル系などの防水シートを屋根材３に接着して施工する方法が取られていた。
【０００３】
屋根材を張替える改修方法によると、建物が工場などで稼動している場合、工事の期間中、工場の稼働を停止しなければならない。また接着剤で防水シートを屋根材に接着施工する改修方法によると、屋根形状が凹凸状のため、接着剤の塗布や防水シートの貼り付けに多くの手間が掛かると共に、作業に熟練を有する。
【０００４】
特許文献１にも、屋根材を防水シートにより改修する方法が記載されている。この改修方法では、屋根材の凸部をまたぐように補強片をビス止めし、この補強片および屋根材の凸部をビスによって貫通し、平板形状の下地材をビス止めする。次いで、ビス止めされた下地材上に防水シートを敷設し、接着する。このような改修方法であれば、屋根材を張り替える必要なしに防水改修が可能である。また、防水シートの敷設面を平坦にできるので、防水シートの接着固定は比較的容易になる。
【特許文献１】特願平１０−３４１７３５号公報
【発明の開示】
【発明が解決しようとする課題】
【０００５】
特許文献１に記載の工法では、屋根の凸部に補強片をビス止めした後、補強片に下地材をビス止めして固定し、下地材上に防水シートを張設する。しかし、この工法では、補強片、下地材を取り付けるために金属屋根板にビス止めが必要となる。その際、下地材の屋根材へのビス止めによる切り粉が建物内部に落ち、建物を使用している場合は天井間近に切り粉の落下防止用養生を行うか、工事の期間中建物を使用中止にする必要があった。更に、工事中に降雨があると、雨養生が必要となり、その間施工工事を中断しなければならなかった。更に、新設の防水シートの施工に不備があった場合に、下地材を屋根材に取り付けるために設けられた下地材のビス穴より漏水するという問題点があることが判明してきた。
【０００６】
本発明の課題は、既設金属屋根を防水改修するのに際して、防水シートの施工が容易であり、また工事期間中の建物の使用中止や降雨時の施工工事の中止の必要性をなくし、また防水シート施工に不備があった場合にも漏水の危険性をなくすることである。
【課題を解決するための手段】
【０００７】
本発明は、既設金属屋根の防水改修構造および方法であって、既設金属屋根の凸部に取り付けられた固定具と、この固定具に取り付けられた下地材取付具と、この下地材取付具上に取り付けられた下地材と、この下地材を下地材取付具に取り付ける取付手段と、下地材上に敷設された防水シートとを備えており、取付手段が既設金属屋根に接触していないことを特徴とする。
【発明の効果】
【０００８】
本発明者は、前述のような実際施工時の問題点に初めて着目し、改修構造を検討した。ここで、例えば特許文献１の施工方法では、凹凸形状の屋根材に補強片をビス止めしている。補強片が薄い金属からなる薄片を折り曲げたものであるために、補強片は屋根材にビス止めするしか固定方法がなく、固定後には補強片は凹凸形状の屋根材表面に沿ってくっついた状態になる。この状態で下地材を補強片および屋根材にビス止めすると、必然的に補強片と屋根材とをビスが貫通して下地材が固定される。
【０００９】
これに対して、本発明においては、金属屋根の凸部の所要位置に固定具を取り付けた後に、この固定具とは別体の取付具を更に固定具に取り付ける。そして、この取付具上に下地材を取り付け、下地材上に防水シートを施工するようにした。そして、この際に下地材の取付手段が既設金属屋根に接触しないように取り付ける工法とした。
【００１０】
ここで、まず固定具と別体の下地材用取付具を別途設けたことが重要である。固定具に直接に防水シート用下地材を取り付ける場合には、下地材をビス等の締結具で屋根材に対して固定するしか固定方法がなく、このために前述の問題点が発生する。このため、固定具上に別体の取り付け具を取り付けし、この取り付け具に下地材を取り付けることによって、下地材を固定具および屋根材から離し、下地材の取り付け手段が屋根材には接触しないような設計とした。
【００１１】
この結果、下地材の屋根材へのビス止めによる切り粉が建物内部に落下することはありえず、工事の期間中建物を使用中止にする必要がない。また、工事中に降雨があったときにも雨養生は不要であり、施工工事を中断する必要はない。更に、新設の防水シートの施工に不備があった場合にも漏水までの危険性はない。従って、既設金属屋根の防水改修工事のコストを著しく改善できるものであり、本発明の産業上の利用性は大きい。
【発明を実施するための最良の形態】
【００１２】
以下、図面を参照しつつ、本発明を更に詳細に説明する。
図１は、ボルト止めタイプの折り屋根（既設金属屋根）の構造を示す。金属屋根の母屋１上に、凹凸形状に折り曲げた金属製取り付け金具（タイトフレーム）２が固定されており、タイトフレーム２上に、塗装金属板を折り曲げて形成した凹凸状の屋根材３が取り付けられている。屋根材３は、基部３ａ、凸部３ｄを形成する傾斜部３ｂおよび頂部３ｃを備えている。各凸部ごとに緊結ボルト４が設けられており、屋根材３をタイトフレーム２へと結合している。このような既設金属屋根の防水改修を本発明によって行う。
【００１３】
図２は、ハゼ連結タイプの折り屋根（既設金属屋根）の構造を示す。本例では、各凸部ごとにハゼ５が設けられており、屋根材３をタイトフレーム２へと結合している。このような既設金属屋根の防水改修を本発明によって行う。
【００１４】
図３は、固定具６の一例を示す斜視図である。固定具６は、取り付け穴６ｂが設けられている平板部６ａ、平板部６ａから立ち上がった一対の側壁部６ｃ、および各側壁部６ｃから横方向に延びるフランジ部６ｄを備えている。
【００１５】
図４は、下地材取付具７の一例を示す斜視図である。取り付け具７は、下地材を取り付けるための平板部７ａ、平板部７ａから下方へと延びる一対の側壁部７ｂ、および各側壁部７ｂから内側へと向かって横方向に延びるフランジ部７ｃを備えている。
【００１６】
図５は、図３の固定具６を図１の既設金属屋根に取り付けた断面を示す図である。本例では、緊結ボルト４がナット４ａを介して屋根材３上に突出しており，これによって屋根材とタイトフレームとが締結されている。この屋根材３の凸部の頂部３ｃ上に、固定具６の平板部６ａが固定されている。
【００１７】
固定具６の屋根材への固定方法は特に限定されない。例えば、図５に示すように、固定具６を、タイトフレーム２と屋根材３とを締結しているボルト及びナット４に溶接しても良い。また、固定具６を既設金属屋根材３に溶接しても良い、
【００１８】
ハゼ連結タイプの屋根材の場合には（図２参照）、図６に示すように、ハゼへの固定部９ｅを有する固定具９を使用する。すなわち、固定具９は、ハゼへの固定部９ｅ、固定部９ｅから両側に延びる一対の平板部９ａ、平板部９ａから立ち上がる側壁部９ｃ、および各側壁部９ｃから横方向に延びるフランジ部９ｄを備えている。そして、固定部９ｅをハゼ５にかぶせて固定し、平板部９ａを頂部３ｃに対して溶接等によって固定する。
【００１９】
次いで、固定具上に、下地材取付具を取り付ける。この方法は特に限定されず、溶接法、ボルト締結、ビス止めなどの任意の方法であってよい。
【００２０】
例えば図５に示すような固定具６を使用した場合には、図７に示すように、固定具６上に下地材取付具７を載せて固定する。すなわち、取付具７のフランジ部７ｃを平板部６ａ上に載せ、側壁部６ｃの内側に側壁部７ｂを収容し、フランジ部６ｄ上と側壁部７ｂとを溶接する（１７）。これとともに、側壁部６ｃと７ｂとを例えばビス１０によって締結する。なお、取付具を固定具に対して取り付ける際の方法は、溶接だけでもよく、ビスだけでもよく、図７のように両者を併用してもよい。
【００２１】
次いで、下地材取付具７上に防水シート用下地材１１を取り付ける。この取付手段は特に限定されず、ビス止め、ボルト締結、溶接等の方法であってよい。例えば、取付手段が、ビスやボルト−ナットのような締結具である。図８の例では、下地材１１が平板部７ａの平坦な上面に載置されており、テーブル状ビス１２によって固定されている。この下地材１１の上面は平坦であるので、防水シート１３を容易に張設することができる。
【００２２】
また、図６に示すような固定具を使用した場合の防水改修構造を図９に示す。本例では、ハゼ継ぎされた屋根材上に防水改修構造を設ける。すなわち固定具９上に下地材取付具７を載せて固定する。取付具７のフランジ部７ｃを平板部９ａ上に載せ、側壁部９ｃの内側に側壁部７ｂを収容し、フランジ部９ｄと側壁部７ｂとを溶接する（１７）。これとともに、側壁部９ｃと７ｂとを例えばビス１０によって締結する。
【００２３】
次いで、下地材取付具７上に防水シート用下地材１１を取り付ける。この取付手段は特に限定されず、ビス止め、ボルト締結、溶接等の方法であってよい。
【００２４】
図１０は、図８に示す防水改修構造が３個連続的に設けられている状態を示す。このように、既設金属屋根３上に、固定具６と取付具７を介して平板状の下地材１１を固定し、下地材１１上に防水シート１３を張設する。
【００２５】
このような防水改修構造によれば、固定具６（９）上に別体の取付具７を取り付け、この取付具７に下地材１１を取り付けることによって、下地材１１を固定具６（９）および屋根材３から離し、下地材の取り付け手段１２が屋根材３には接触しないような設計とした。
【００２６】
この結果、下地材１１の屋根材３へのビス止めによる切り粉が建物内部に落下することはありえず、工事の期間中建物を使用中止にする必要がない。また、工事中に降雨があったときにも雨養生は不要であり、施工工事を中断する必要はない。更に、新設の防水シート１３の施工に不備があった場合にも漏水までの危険性はない。
【００２７】
下地材１１の材質は、ビス止めの場合は金属の必要は無くプラスチック成型品でも良い。下地板１１は合板、金属板、セメント成型品、樹脂成型品、断熱材などの平滑な下地を構成できるものであれば特に限定しない。
【００２８】
取付具の材質は、プラスチック成型品でも良いが、溶接を行う場合には金属とする必要がある。このような金属としては、構造用鋼材、メッキ鋼材が好ましい。
【図面の簡単な説明】
【００２９】
【図１】緊結ボルト締結型の折り板屋根の構造を示す断面図である。
【図２】ハゼ連結型の折り板屋根の構造を示す断面図である。
【図３】固定具６の斜視図である。
【図４】下地材取付具７の斜視図である。
【図５】ボルト連結型の既設金属屋根に固定具６を固定した状態を示す断面図である。
【図６】ハゼ連結型の既設金属屋根に固定具９を取り付けた状態を示す斜視図である。
【図７】固定具６に下地材取付具７を取り付けた状態を示す断面図である。
【図８】図７の下地材取付具７上に下地材１１および防水シート１３を取り付けた状態を示す断面図である。
【図９】固定具９に、下地材取付具７、下地材１１および防水シート１３を取り付けた状態を示す断面図である。
【図１０】屋根材の複数列の凸部に図８の防水改修構造を適用した状態を示す断面図である。
【符号の説明】
【００３０】
１  金属製母屋            ２  タイトフレーム            ３  屋根材            ３ａ  基部            ３ｂ  傾斜部            ３ｃ  頂部            ３ｄ  凸部            ４  緊結ボルト            ５  ハゼ            ６、９  固定具            ６ｃ、９ｃ  側壁部            ６ｄ、９ｄ  フランジ部            ９ｅ  ハゼへの固定部            ７  下地材取付具            ７ａ  平板部            ７ｂ  側壁部            ７ｃ  フランジ部            １１  下地材            １２  下地材の取付手段            １３  防水シート            １７  溶接部
【図１】
2006070627.tif 000003
【図２】
2006070627.tif 000004
【図３】
2006070627.tif 000005
【図４】
2006070627.tif 000006
【図５】
2006070627.tif 000007
【図６】
2006070627.tif 000008
【図７】
2006070627.tif 000009
【図８】
2006070627.tif 000010
【図９】
2006070627.tif 000011
【図１０】
2006070627.tif 000012